(57)【要約】【課題】ぎょう虫卵検査シートを用いたぎょう虫検査において、検査回数の取り違えをなくし、衛生的な検査を可能とし、かつ検査の正確性を向上させる。【解決手段】一辺で連続した一対の採卵シート２ａ,２ｂを有する基体シート３および採卵シート２ａ,２ｂの略中央にそれぞれ設けられる検卵粘着部６ａ,６ｂを介して基体シート３に貼合される剥離シート４からなるぎょう虫検査シート１の検卵粘着部６ａ,６ｂにそれぞれ異なる色を施す。【選択図】図１
0003147541.tif 000002
【実用新案登録請求の範囲】
【請求項１】
一辺で連続した一対の採卵シートを有する基体シートおよび前記採卵シートの略中央にそれぞれ設けられる検卵粘着部を介して前記基体シートに貼合される剥離シートからなる２回採卵式のぎょう虫卵検査シートであって、
前記検卵粘着部に互いに異なる色を施したことを特徴とするぎょう虫検査シート。
【請求項２】
一辺で連続した一対の採卵シートを有する基体シートおよび前記採卵シートの略中央にそれぞれ設けられる検卵粘着部を介して前記基体シートに貼合される剥離シートからなる２回採卵式のぎょう虫卵検査シートであって、
前記一対の採卵シートの開放端の形状をそれぞれ異なる形状としたことを特徴とするぎょう虫検査シート。
【請求項３】
一辺で連続した一対の採卵シートを有する基体シートおよび前記採卵シートの略中央にそれぞれ設けられる検卵粘着部を介して前記基体シートに貼合される剥離シートからなる２回採卵式のぎょう虫卵検査シートであって、
前記一対の採卵シートを互いに異なる触感としたことを特徴とするぎょう虫検査シート。
【考案の詳細な説明】
【技術分野】
【０００１】
本考案は、ぎょう虫症の保卵者を発見するのに利用されるぎょう虫検査シートに関するものである。
【背景技術】
【０００２】
ぎょう虫（蟯虫）は盲腸に寄生し、成熟したメス成虫は夜間、肛門周囲にぎょう虫卵を産卵する。産卵されたぎょう虫卵は６〜７時間で感染可能な成熟卵となり、衣類やベッドや他の物に付着して約２週間生存するとされている。このぎょう虫卵は糞便中にはほとんど見当たらないため、大便で調べる通常の検便ではぎょう虫卵の検出は困難である。
【０００３】
そこで、従来から人体内でのぎょう虫の寄生の有無を判定する手段として、早朝起床時に、２日間連続でぎょう虫検査シートを肛門周囲に付着させて検査を行い、このぎょう虫検査シートを顕微鏡で観察して、ぎょう虫卵の有無を調べる方法が行われており、これに用いる２回採卵式のぎょう虫検査シートが汎用されている。
【０００４】
このような２回採卵式のぎょう虫検査シートとして、例えば、特許文献１には、互いに隣接した一対の採卵シート９２を有する基体シート９３と、採卵シート９２の略中央側にそれぞれ設けられる検卵粘着部９６を介して貼合される剥離シート９４とを有し、検卵粘着部９６を二等分する位置に、検卵粘着部９６を互いに重合状態に折り込める折目９８が基体シート９３に設けられ、折目９８の両側に折込粘着部９７が形成され、採卵シート９２の検卵粘着部９６の裏面に検査日の順番と氏名欄の印刷１００が施されたぎょう虫検査シートが開示されている（図５参照）。
【０００５】
【特許文献１】実用新案登録第３１１６７５９号
【考案の開示】
【考案が解決しようとする課題】
【０００６】
しかしながら、特許文献１に記載のぎょう虫検査シートをはじめとして、従来の２回採卵式のぎょう虫検査シートは、折目を中心として１回目（１日目）に使用する部分と２回目（２日目）に使用する部分が対称の形状となっており、実際に肛門周囲に付着させる粘着部にも同じ色（オイルブルー色素などによる青色）が施されていた。したがって、１日目に使用する部分と２日目に使用する部分との判別は、「１日目」、「２日目」等の印字された文字や、氏名記入欄の有無等のみによって判断されており、混同が生じ易く、検査回数（検査日）の取り違えが生じやすかった。
【０００７】
特に、上述したように、ぎょう虫検査シートによる検査は、早朝起床時に行うものであるので、十分に目が覚めていない状態で検査を行った場合等に、１日目と２日目のシートを取り違えてしまうという事態が生じていた。
【０００８】
また、ぎょう虫検査シートによる検査は、特に未就学児〜小学生といった子供達を対象に広く行われており、子供達自身が検査を行う場合も多い。このように子供達自身による検査の場合、上述のような取り違えが更に生じやすいという問題があった。さらに、病院等において看護士等が、患者に対して検査を行う際にも、早朝の薄暗い時間帯に迅速に検査を行う必要があるので、上述のような取り違えが生じやすいという問題があった。
【０００９】
ここで、２日のうち、いずれかでも取り違えて検査をしてしまうと、同じ粘着部分を２度使用して検査してしまうこととなるので、衛生的でないばかりか、粘着性の低下等により検査の正確性が担保できないものとなっていた。
【００１０】
そこで本考案は、２回採卵式のぎょう虫卵検査シートにおいて、検査回数の取り違えをなくし、衛生的な検査を可能とし、かつ検査の正確性を向上させるぎょう虫検査シートを提供することを目的とする。
【課題を解決するための手段】
【００１１】
かかる目的を達成するため、請求項１に記載のぎょう虫検査シートは、一辺で連続した一対の採卵シートを有する基体シートおよび採卵シートの略中央にそれぞれ設けられる検卵粘着部を介して基体シートに貼合される剥離シートからなる２回採卵式のぎょう虫卵検査シートであって、検卵粘着部に互いに異なる色を施したものである。
【００１２】
また、請求項２に記載のぎょう虫検査シートは、一辺で連続した一対の採卵シートを有する基体シートおよび採卵シートの略中央にそれぞれ設けられる検卵粘着部を介して基体シートに貼合される剥離シートからなる２回採卵式のぎょう虫卵検査シートであって、一対の採卵シートの開放端の形状をそれぞれ異なる形状としたものである。
【００１３】
また、請求項３に記載のぎょう虫検査シートは、一辺で連続した一対の採卵シートを有する基体シートおよび採卵シートの略中央にそれぞれ設けられる検卵粘着部を介して基体シートに貼合される剥離シートからなる２回採卵式のぎょう虫卵検査シートであって、一対の採卵シートを互いに異なる触感としたものである。
【考案の効果】
【００１４】
本考案によれば、２回採卵式のぎょう虫卵検査シートを用いたぎょう虫検査において、検査回数の取り違いをなくし、衛生的な検査を可能とし、かつ検査の正確性を向上させることができる。
【考案を実施するための最良の形態】
【００１５】
以下、本考案の構成を図１から図４に示す実施の形態に基づいて詳細に説明する。
【００１６】
（第１の実施形態）
図１に示すように、第１の実施形態のぎょう虫検査シート１は、一辺で連続した一対の採卵シート２（以下、１日目と２日目の採卵シートをそれぞれ採卵シート２ａ,２ｂとする）を有する基体シート３と、該基体シート３に対し、採卵シート２ａ,２ｂの略中央にそれぞれ設けられる検卵粘着部６ａ,６ｂを介して貼合される剥離シート４とからなる。また、基体シート３の検卵粘着部６ａ,６ｂを二等分する位置に、検卵粘着部６を互いに重合状態に折り込める折目８が設けられ、折目８の両側には折込粘着部７が形成されている。また、採卵シート２の検卵粘着部６の裏面には、検査日（「１日目」、「２日目」）および氏名等の記入欄１０が設けられている。
【００１７】
さらに、本実施形態のぎょう虫検査シート１は、検卵粘着部６ａ,６ｂにそれぞれ異なる色を施したものである。ここで、異なる色を施すとは、例えば、一方を青色、他方を黄色などの色とするように、検卵粘着部６に塗布される粘着剤にそれぞれの色素成分を含めることにより行われる。尚、一方に色素成分を含めないことで一方を透明にするようにしても良い。また、検卵粘着部６ａ,６ｂに施す色は、検査終了後に、検卵粘着部６ａおよび検卵粘着部６ｂが重合状態でなされる顕微鏡によるぎょう虫卵の有無の診断に支障をきたさない色であればよく、特に限られるものではない。また、採卵シート２の検卵粘着部６の裏面にあたる部分に異なる色を施すようにしても、採卵シート２の検卵粘着部６を除く部分に異なる色を施すようにしても良い。
【００１８】
このように構成することにより、本考案に係るぎょう虫検査シートを用いたぎょう虫検査では、検査をする人は検卵粘着部６の色の違いにより、検査回数を容易に判別することができるようになる。これにより、検査回数の取り違えをなくし、衛生的な検査を可能とし、かつ検査の正確性を向上させることができる。
【００１９】
（第２の実施形態）
図２に、本考案の第２の実施形態を示す。尚、第１の実施形態と同様の点については、説明を省略する。
【００２０】
第２の実施形態のぎょう虫検査シート１は、図２に示すように、採卵シート２ｂの開放端の形状を半楕円形状とし、採卵シート２ａと採卵シート２ｂとを互いに異なる形状としたものである。
【００２１】
ここで、乖離シート４の形状も、採卵シート２ｂの形状に合わせた形状とすることが好ましい。尚、図２の例では、採卵シート２ｂの開放端の形状を変更した例を示しているが、採卵シート２ａの開放端の形状を変更するようにしても良い。また、採卵シート２ａ,２ｂの双方の開放端の形状を変更し、互いに異なる形状とするようにしても良い。
【００２２】
また、採卵シート２の形状は、採卵シート２の少なくとも一方の開放端の形状を変更し、その形状が互いに異なる形状であればよく、図２に示したような半楕円形状に限られるものではない。例えば、一方を凹みのある形状にしたり、一方の端部を波形やぎざぎざの形状にするようにしても良い。
【００２３】
このように構成することにより、本考案に係るぎょう虫検査シートを用いたぎょう虫検査では、検査をする人は採卵シート２の形状の違いにより、検査回数を容易に判別することができるようになる。これにより、検査回数の取り違えをなくし、衛生的な検査を可能とし、かつ検査の正確性を向上させることができる。
【００２４】
（第３の実施形態）
図３に、本考案の第３の実施形態を示す。尚、第１の実施形態と同様の点については、説明を省略する。
【００２５】
第３の実施形態のぎょう虫検査シート１は、図３に示すように、採卵シート２ａ,２ｂの検卵粘着部６ａ,６ｂを除く部分を互いに異なる触感としたものである。図３に示す例では、採卵シート２ａの検卵粘着部６ａを有する面であって、検卵粘着部６ａを除いた部分にエンボス加工を施すことにより異なる触感となるようにしている。ここで、異なる触感とするための加工方法は、検卵粘着部６ａおよび検卵粘着部６ｂが重合状態でなされる顕微鏡によるぎょう虫卵の有無の診断に支障をきたさない限り、特に限られるものではない。
【００２６】
例えば、採卵シート２ａの検卵粘着部６ａの裏面に加工を施すようにしても良い。また、図３の例では、採卵シート２ａの触感を変更した例を示しているが、採卵シート２ｂの触感を変更するようにしても良い。また、採卵シート２の双方に互いに異なる触感となるように異なる加工を施しても良い。また、採卵シート２の検卵粘着部６を除いた全体部分に加工を施さず、検査時に採卵シーと２をめくるときに判別可能なように、採卵シート２の端部だけに加工を施すようにしても良い。また、採卵シート２の触感を互いに異なるようにすることに代えて、またはこれに併せて、乖離シート４（採卵シート２ａ,２ｂに夫々対応する部分）の触感を互いに異なるものとするようにしても良い。
【００２７】
このように構成することにより、本考案に係るぎょう虫検査シートを用いたぎょう虫検査では、検査をする人は採卵シート２の触感の違いにより、検査回数を容易に判別することができるようになる。さらに、例えば、目の不自由な人が検査を行う場合にも、取り違えを生じることがなく検査ができるものである。
【００２８】
また、上述した第１〜第３の実施形態の構成を組み合わせた構成としてもよいのは勿論である。例えば、検卵粘着部６ａ,６ｂにそれぞれ異なる色を施し、かつ採卵シート２ａと採卵シート２ｂとの形状とを互いに異なる触感とする構成としてもよい。
【００２９】
また、図４に示すように、検査日を表記する「１日目」、「２日目」等の文字表記の字体をそれぞれ異なる字体（ゴシック体と明朝体など）とすることで、検査回数の取り違えを減少させることも好ましい。この場合、字体の変更に代えて、または字体の変更に併せて字の大きさ、字の太さ、字の色、字の傾き等を互いに異なるようにすることも好ましい。また、上述の第１〜第３の実施形態で説明した構成と組み合わせることもより好ましい。
【００３０】
尚、上述の実施形態は本考案の好適な実施の例ではあるがこれに限定されるものではなく、本考案の要旨を逸脱しない範囲において種々変形実施可能である。
【００３１】
例えば、３回以上の採卵が可能なぎょう虫検査シートにおいても、上述の実施形態の構成を適用し、各回の検卵粘着部６を異なる色としたり、各回に対応した採卵シート２の形状や触感を夫々異なるものとすることにより、検査回数の取り違えをなくし、衛生的な検査を可能とし、かつ検査の正確性を向上させることができる。
【図面の簡単な説明】
【００３２】
【図１】第１の実施形態におけるぎょう虫検査シートの一例を示す図である。
【図２】第２の実施形態におけるぎょう虫検査シートの一例を示す図である。
【図３】第３の実施形態におけるぎょう虫検査シートの一例を示す図である。
【図４】ぎょう虫検査シートの他の例を示す図である。
【図５】従来のぎょう虫検査シートの一例を示す斜視図である。
【符号の説明】
【００３３】
１  ぎょう虫検査シート
２（２ａ,２ｂ）  採卵シート
３  基体シート
４  乖離シート
６（６ａ,６ｂ）  検卵粘着部
７  折込粘着部
８  折目  
１０  記入欄
【図５】
0003147541.tif 000003
【図１】
0003147541.tif 000004
【図２】
0003147541.tif 000005
【図３】
0003147541.tif 000006
【図４】
0003147541.tif 000007